(57)【要約】【課題】スピーカユニットの振動をキャビネットヘ伝わらせないようにして音質の改善を図ることができるとともに、取り付け状態の安定性に優れたスピーカユニットの支持構造を提供すること。【解決手段】スピーカユニット１０と、スピーカユニット１０の前面側を配置させるための開口部を有するキャビネット２０と、スピーカユニット１０の背面側に接続されるアンカー３１と、スピーカキャビネット２０内におけるアンカー３１の重心位置が固定されるようにアンカー３１を支持するための支柱３２と、支柱３２の位置決めを行うための位置決め部材３３とを備え、支柱３２と位置決め部材３３との間に緩衝部材３４を介装させる。【選択図】  図１
2004289221.tif 000002
【特許請求の範囲】
【請求項１】
スピーカユニットと、
該スピーカユニットの前面側を配置させるための開口部を有するスピーカキャビネットと、
前記スピーカユニットの背面側に接続されるアンカー部材と、
前記スピーカキャビネット内における前記アンカー部材の重心位置が固定されるように該アンカー部材を支持するための支持部材と、
該支持部材の位置決めを行うための位置決め部材とを備え、
前記支持部材と前記位置決め部材との間、又は前記アンカー部材と前記支持部材との間に緩衝部材が介装されていることを特徴とするスピーカユニットの支持構造。
【請求項２】
前記アンカー部材が、第１のアンカー部材と第２のアンカー部材とからなり、前記第１のアンカー部材と前記第２のアンカーとが連結されるものであることを特徴とする請求項１記載のスピーカユニットの支持構造。
【請求項３】
前記支持部材が、前記アンカー部材から放射状に設けられた複数の支柱からなることを特徴とする請求項１又は請求項２記載のスピーカユニットの支持構造。
【請求項４】
前記位置決め部材が、前記支持部材の先端部を嵌合させるための嵌合部を有するものであることを特徴とする請求項１〜３のいずれかの項に記載のスピーカユニットの支持構造。
【請求項５】
前記スピーカキャビネットの開口部と前記スピーカユニットとの間に緩衝部材が介装されていることを特徴とする請求項１〜４のいずれかの項に記載のスピーカユニットの支持構造。
【請求項６】
請求項１〜５のいずれかの項に記載のスピーカユニットの支持構造が前記スピーカキャビネット内に複数セット設けられていることを特徴とするスピーカシステム。
【請求項７】
請求項１〜５のいずれかの項に記載のスピーカユニット支持構造が採用されたスピーカシステムであって、
前記アンカー部材を介して互いに背面が対向するように接続された第１のスピーカユニット及び第２のスピーカユニットを備え、
前記第１のスピーカユニット及び前記第２のスピーカユニットに対して、同じ信号が同相で供給されるものであることを特徴とするスピーカシステム。
【請求項８】
請求項１〜５のいずれかの項に記載のスピーカユニット支持構造が採用されたスピーカシステムであって、
前記アンカー部材を介して互いに背面が対向するように接続された第１のスピーカユニット及び第２のスピーカユニットを備え、
前記第１のスピーカユニット及び前記第２のスピーカユニットに対して、同じ信号が逆相で供給されるものであることを特徴とするスピーカシステム。
【発明の詳細な説明】
【０００１】
【発明の属する技術分野】
本発明はスピーカユニットの支持構造及びスピーカシステムに関し、より詳細にはスピーカユニットの振動をスピーカキャビネットに伝えにくい構造にして、音質の向上を図ることのできるスピーカユニットの支持構造及びスピーカシステムに関する。
【０００２】
【従来の技術】
図５は、従来のスピーカシステムを模式的に示した側面断面図である。
スピーカシステム５０は、コーン６１、ボイスコイル６２、磁気回路６３、及びフレーム６４等から構成されるスピーカユニット６０と、スピーカユニット６０が収納される箱形のスピーカキャビネット７０とを含んで構成されており、スピーカユニット６０のフレーム６４の外周部分が、スピーカキャビネット（以下、単にキャビネットと記す）７０前面の開口部７１の縁にネジ７２によってネジ止めされている。
【０００３】
このようなスピーカシステム５０では、スピーカユニット６０がキャビネット７０に直接固定されているため、スピーカユニット６０のキャビネット７０への取り付け状態が安定している。したがって、キャビネット７０が傾斜や転倒させられたりしても、スピーカユニット６０がキャビネット７０から外れたりすることがなく、また設置向き（横置きや縦置きなど）等も使用者の好みに応じて変更することもできる。
【０００４】
しかし、スピーカユニット６０の駆動時には、コーン６１の振動がフレーム６４を介して直接キャビネット７０の前面に伝わるため、キャビネット７０全体が振動してしまい、これが不要音（元の信号と関係のない音）となって音質の劣化（音質の濁り等）を引き起こしてしまうという課題があった。
【０００５】
このような課題を解決するものとして、例えば、下記の特許文献１記載のスピーカシステムが提案されている。図６は、下記の特許文献１に開示されているスピーカシステムを模式的に示した側面断面図である。
【０００６】
スピーカシステム５０Ａは、スピーカユニット６０Ａを露出させる開口部７１Ａが前面に設けられたキャビネット７０Ａと、キャビネット７０Ａ内部の底面の中央部から上部に延設された支柱７３と、支柱７３の先端のピポット７３ａに天秤構造により支持される支軸７４ａを有する天秤部材７４と、天秤部材７４を介してスピーカユニット６０Ａと対向する位置にスピーカユニット６０Ａとのバランスを保持して固定されるウエイト７５と、キャビネット７０Ａの開口部７１Ａとスピーカユニット６０Ａとの間に装着される弾性体７６とを含んで構成されている。
【０００７】
このようなスピーカシステム５０Ａによれば、スピーカユニット６０Ａから発生する振動が、天秤部材７４の振り子の動作により吸収されるとともに、吸収しきれない振動エネルギが、天秤部材７４から支柱７３へ伝達されて接地されるため、スピーカユニット６０Ａの駆動時の振動がキャビネット７０Ａへ伝達されることによって発生する音質の濁りを防止することができるとされている。
【０００８】
【特許文献１】
特開平１１−３５５８７６号公報
【０００９】
【発明が解決しようとする課題】
しかしながら、上記特許文献１記載のスピーカシステム５０Ａでは、支柱７３と天秤部材７４という不安定な支持構造のため、キャビネット７０Ａが傾斜や転倒させられたりすると、天秤部材７４の支軸７４ａが支柱７３のピポット７３ａから外れてしまい、その結果、スピーカユニット６０Ａが開口部７１Ａから外れて、元の位置に配置させることができなくなったり、内部の配線が断線したり、スピーカユニット６０Ａ自体が破損してしまうといった恐れがあり、スピーカユニット６０Ａの取り付け状態の安定性が低く、また、設置向きの変更等も行うことができないという課題があった。
【００１０】
本発明は上記課題に鑑みなされたものであって、スピーカユニットの振動をキャビネットヘ伝わらせないようにして音質の改善を図ることができ、しかも、取り付け状態の安定性に優れたスピーカユニットの支持構造及びスピーカシステムを提供することを目的としている。
【００１１】
【課題を解決するための手段及びその効果】
上記目的を達成するために本発明に係るスピーカユニットの支持構造（１）は、スピーカユニットと、該スピーカユニットの前面側を配置させるための開口部を有するキャビネットと、前記スピーカユニットの背面側に接続されるアンカー部材と、前記スピーカキャビネット内における前記アンカー部材の重心位置が固定されるように該アンカー部材を支持するための支持部材と、該支持部材の位置決めを行うための位置決め部材とを備え、前記支持部材と前記位置決め部材との間、又は前記アンカー部材と前記支持部材との間に緩衝部材が介装されていることを特徴としている。
【００１２】
上記スピーカユニットの支持構造（１）によれば、前記位置決め部材により前記支持部材の位置が固定され、固定された前記支持部材により前記アンカー部材が前記スピーカキャビネット内においてその重心位置が固定されるように支持され、しかも前記支持部材と前記位置決め部材との間、又は前記アンカー部材と前記支持部材との間に前記緩衝部材が介装されるので、前記アンカー部材に接続された前記スピーカユニットが、前記スピーカキャビネット内の所定位置にフローティング状態で配設される。したがって、前記スピーカユニットから前記アンカー部材に伝わる振動が、前記スピーカキャビネットに伝わらなくなるため、前記スピーカキャビネットの振動による音質の劣化を防止することができる。
【００１３】
また、前記アンカー部材の重量を前記スピーカユニットの重量よりも大きくすることにより、前記アンカー部材を仮想グランドとして作用させることができ、その結果、前記スピーカユニットの振動を抑制する効果を一層高めることができる。
【００１４】
さらに、前記スピーカキャビネットの配置状態が変化しても（例えば、傾斜や転倒等が生じても）、前記支持部材により、前記アンカー部材の重心位置が固定されるように該アンカー部材が支持されているので、前記スピーカユニットの取り付け位置が変化してしまうこともなく、取り付け状態の安定性に優れた構造とすることができる。また、縦置きや横置き等配置向きも自由に変えることができ、家庭用のみならず、車載用等への適用も可能である。
【００１５】
また本発明に係るスピーカユニットの支持構造（２）は、上記スピーカユニットの支持構造（１）において、前記アンカー部材が、第１のアンカー部材と第２のアンカー部材とからなり、前記第１のアンカー部材と前記第２のアンカーとが連結されるものであることを特徴としている。
【００１６】
上記スピーカユニットの支持構造（２）によれば、前記第１のアンカー部材と前記第２のアンカー部材とを別々に前記スピーカキャビネット内に組み付けて、組み付け後に、例えば、ねじ止め等により連結させることができる。したがって、前記スピーカキャビネット内への前記アンカー部材の組み付け作業が容易となり、組み付けの作業性を向上させることができる。
【００１７】
また本発明に係るスピーカユニットの支持構造（３）は、上記スピーカユニットの支持構造（１）又は（２）において、前記支持部材が、前記アンカー部材から放射状に設けられた複数の支柱からなることを特徴としている。
【００１８】
上記スピーカユニットの支持構造（３）によれば、前記支持部材が、前記アンカー部材から放射状に設けられた複数の支柱からなるので、傾斜や転倒等によって前記スピーカキャビネットの配置状態が変化させられても、いずれかの支柱によって前記アンカー部材が支持されるので、前記アンカー部材の位置変化を確実に防止することができ、前記アンカー部材に接続された前記スピーカユニットを前記スピーカキャビネット内に安定した構造で支持することができる。
【００１９】
また本発明に係るスピーカユニットの支持構造（４）は、上記スピーカユニットの支持構造（１）〜（３）のいずれかにおいて、前記位置決め部材が、前記支持部材の先端部を嵌合させるための嵌合部を有するものであることを特徴としている。
【００２０】
上記スピーカユニットの支持構造（４）によれば、前記支持部材の先端部が前記嵌合部に嵌合させられることによって、前記スピーカキャビネットの傾斜や転倒、あるいは輸送時の揺れ等によって起こる前記支持部材の先端部の位置ずれを防止することができ、前記アンカー部材に接続された前記スピーカユニットを前記スピーカキャビネット内に安定した構造で支持することができる。
【００２１】
また本発明に係るスピーカユニットの支持構造（５）は、上記スピーカユニットの支持構造（１）〜（４）のいすれかにおいて、前記スピーカキャビネットの開口部と前記スピーカユニットとの間に緩衝部材が介装されていることを特徴としている。
【００２２】
上記スピーカユニットの支持構造（５）によれば、前記緩衝部材により前記スピーカキャビネット内の気密性を維持することができるとともに、前記スピーカユニットを前記スピーカキャビネットの前面に対してフローティング状態で維持することができ、前記スピーカユニットから前記スピーカキャビネット前面への振動の伝達を防止することができ、前記スピーカキャビネットの振動に伴う音質の劣化を防止することができる。
【００２３】
また本発明に係るスピーカシステム（１）は、上記スピーカユニットの支持構造（１）〜（５）のいずれかが前記スピーカキャビネット内に複数セット設けられていることを特徴としている。
【００２４】
上記スピーカシステム（１）によれば、前記スピーカユニットが１つのスピーカキャビネットに２つ以上含まれるマルチ・ウェイ・スピーカシステムにも上記スピーカユニットの支持構造を適用することができ、各スピーカユニットをフローティング状態とすることにより音質の劣化を防止することができるとともに、傾斜や転倒等に対しても各スピーカユニットの位置ずれ等が生じない安定した構造とすることができる。
【００２５】
また本発明に係るスピーカシステム（２）は、上記スピーカユニットの支持構造（１）〜（５）のいずれかが採用されたスピーカシステムであって、前記アンカー部材を介して互いに背面が対向するように接続された第１のスピーカユニット及び第２のスピーカユニットを備え、前記第１のスピーカユニット及び前記第２のスピーカユニットに対して、同じ信号が同相で供給されるものであることを特徴としている。
【００２６】
上記スピーカシステム（２）によれば、前記アンカー部材を介して互いに背面が対向するように接続された前記第１のスピーカユニット及び前記第２のスピーカユニットが同相で動作させられるので、双方のスピーカユニットから伝達される振動が前記アンカー部材で打ち消され、前記スピーカユニットから伝達される振動を抑制する効果を一層高めることができる。
【００２７】
また本発明に係るスピーカシステム（３）は、上記スピーカユニットの支持構造（１）〜（５）のいずれかが採用されたスピーカシステムであって、前記アンカー部材を介して互いに背面が対向するように接続された第１のスピーカユニット及び第２のスピーカユニットを備え、前記第１のスピーカユニット及び前記第２のスピーカユニットに対して、同じ信号が逆相で供給されるものであることを特徴としている。
【００２８】
上記スピーカシステム（３）によれば、前記アンカー部材を介して互いに背面が対向するように接続された前記第１のスピーカユニット及び前記第２のスピーカユニットが逆相で動作させられるので、見かけ上前記スピーカキャビネット内に圧力変化の生じない構造とすることができる。したがって、内圧の変化がなくなるので前記スピーカユニットの振動板の応答特性を良くすることができ、音質を一層向上させることができる。また、内圧の変化をなくすことができるので、前記キャビネットの小型化を図ることもできる。
【００２９】
【発明の実施の形態】
以下、本発明に係るスピーカユニットの支持構造及びスピーカシステムの実施の形態を図面に基づいて説明する。図１は、実施の形態（１）に係るスピーカユニットの支持構造が採用されたスピーカシステムを模式的に示した部分断面斜視図であり、図２は、図１におけるＩ−Ｉ線断面図である。
【００３０】
図中１０はスピーカユニットを示し、図中２０はスピーカユニット１０の前面部を配置させるための開口部２０ａを有するキャビネットを示している。
スピーカユニット１０は、振動板であるコーン１１、コーン１１を振動させるための駆動力を発生するボイスコイル（図示せず）と磁気回路１２、及びこれらを連結するフレーム１３等を含んで構成されている。磁気回路１２は、プレート、マグネット、及びヨーク等（いずれも図示せず）を含んで構成されている。
【００３１】
スピーカユニット１０の背面側（磁気回路１２側）には、円柱状の金属製のアダプタ３０を介して重りであるアンカー３１が接続されている。なお、この場合アダプタ３０の両端には雄ねじ（図示せず）が切ってあり、該雄ねじを磁気回路１２とアンカー３１とに設けられている雌ねじ（図示せず）にそれぞれねじ込むことによりスピーカユニット１０とアダプタ３０とアンカー３１とが固定されている。なお、確実に固定できる方法であれば、ねじ止め以外の方法でも良い。
【００３２】
アンカー３１は、鉄等の金属からなる略円錐台形状をした２つのアンカー部材３１ａ、３１ｂから構成されている。アンカー部材３１ａ、３１ｂには、同一箇所に同じねじ穴（図示せず）が形成されており、アンカー部材３１ａ、３１ｂは、ねじ止めにより連結されている。なお、アンカー３１は、スピーカユニット１０の仮想グランドとして作用させるために、スピーカユニット１０よりも重量が大きく設定されている（例えば、スピーカユニット１０の２倍〜３倍程度の重量）。これによりスピーカユニット１０から伝わる振動がアンカー３１で抑制されることとなる。
【００３３】
また、アンカー部材３１ａの傾斜部分から４本の円柱状の金属製の支柱３２が、キャビネット２０の前面側の４隅に向けて放射状に設けられている。支柱３２のアンカー部材３１ａとの接続側の一端には雄ねじ（図示せず）が切ってあり、アンカー部材３１ａに設けられている雌ねじ（図示せず）にねじ込むことにより固定されている。
【００３４】
さらに、アンカー部材３１ｂの傾斜部分から４本の円柱状の金属製の支柱３２が、キャビネット２０の背面側の４隅に向けて放射状に設けられている。支柱３２のアンカー部材３１ｂとの接続側の一端には雄ねじ（図示せず）が切ってあり、アンカー部材３１ｂに設けられている雌ねじ（図示せず）にねじ込むことにより固定されている。
【００３５】
放射状に設けられた支柱３２の各々の他端は、キャビネット２０の長手方向（前面側から背面側の方向）の４隅に固定された位置決め部材３３の嵌合部３３ａに嵌め込まれるようになっている。このとき、支柱３２の各々の他端と、位置決め部材３３の各嵌合部３３ａとの間には、緩衝部材３４が介装されるようになっている。緩衝部材３４は、クッション性を有し、振動吸収性に優れた材質のものであればよく、例えば、フェルト、発泡性樹脂、不織布等を使用することができる。
【００３６】
このようにアンカー３１を支持している支柱３２の先端部が緩衝部材３４を介して位置決め部材３３により固定されているので、スピーカユニット１０がキャビネット２０に対してフローティング状態で保持されるとともに、スピーカユニット１０が接続されたアンカー３１が、放射状に設けられた複数本（この場合８本）の支柱３２で支持されることにより、キャビネット２０が、傾斜や転倒させられても、スピーカユニット１０の配置位置が変動することなく、安定した構造が保たれるようになっている。
【００３７】
また、スピーカユニット１０のフレーム１３外周部とキャビネット２０の前面との間には、フレーム１３外周部全体に渡って円環状の緩衝部材３５が介装されている。緩衝部材３５は、緩衝部材３４と同質のものが使用可能であるが、気密性に優れた材質を用いることが好ましい。緩衝部材３５により、キャビネット２０内の気密性を維持するとともに、スピーカユニット１０がキャビネット２０の前面に対してフローティング状態で保持されるようになっている。
【００３８】
次に、実施の形態（１）に係るスピーカシステム１の組み付け方法の一例について説明する。
まず、アンカー部材３１ａにアダプタ３０とスピーカユニット１０と４本の支柱３２とを固定したもの（組み付け部材Ａとする）と、アンカー部材３１ｂに４本の支柱３２を固定したもの（組み付け部材Ｂとする）と、所定箇所（この場合長手方向の４隅）に位置決め部材３３が固定されたキャビネット２０（前面パネル及び背面パネルが未取付のもの）とを準備する。
【００３９】
キャビネット２０の背面側から組み付け部材Ｂを収納して、支柱３２の各々の先端部を緩衝部材３４を介して位置決め部材３３の嵌合部３３ａに嵌め込み、必要であれば、嵌合部３３ａから支柱３２の先端が外れてしまわないように、緩衝部材３４の上からくさび状のコマ等で押えつける。
【００４０】
次に、キャビネット２０の前面側から組み付け部材Ａを収納して、支柱３２の各々の先端部を緩衝部材３４を介して位置決め部材３３の嵌合部３３ａに嵌め込み、アンカー部材３１ａとアンカー部材３１ｂとをねじで連結する。
【００４１】
その後、前記コマを取り外し、スピーカユニット１０への所定の配線を行い、最後に背面パネルと、開口部２０ａに緩衝部材３５が装着された前面パネルとを取り付ける。このようにして、実施の形態（１）に係るスピーカシステム１を組み付けることができる。
【００４２】
上記実施の形態（１）に係るスピーカユニットの支持構造が採用されたスピーカシステム１によれば、位置決め部材３３により支柱３２の先端位置が固定され、先端位置が固定された支柱３２によりアンカー３１がキャビネット２０内にその重心位置が固定されるように支持され、しかも支柱３２の先端部と位置決め部材３３との間に緩衝部材３４が介装されるので、アンカー３１に接続されたスピーカユニット１０が、キャビネット２０内の所定位置にフローティング状態で配設される。したがって、スピーカユニット１０からアンカー３１に伝わる振動が、キャビネット２０に伝わらなくなるため、キャビネット２０の振動による音質の劣化（音質の濁り等）を防止することができる。
【００４３】
また、アンカー３１の重量を前記スピーカユニットの重量よりも大きく設定することにより、アンカー３１を仮想グランドとして作用させることができ、その結果、スピーカユニット１０の振動を抑制する効果を一層高めることができる。
【００４４】
さらに、キャビネット２０の配置状態が変化しても（例えば、傾斜や転倒等が生じても）、アンカー３１が、支柱３２によりその重心位置が固定されるように支持されているので、スピーカユニット１０の取り付け位置が変化することもなく、取り付け状態の安定性に優れた構造とすることができる。また、縦置きや横置き等配置向きも自由に変えることができ、家庭用のみならず、車載用等への適用も可能である。
【００４５】
また、アンカー３１が、アンカー部材３１ａとアンカー部材３１ｂとから構成されているので、アンカー部材３１ａとアンカー部材３１ｂとを別々にキャビネット２０内に組み付けて、組み付け後に、ねじ止めにより連結させることができる。したがって、キャビネット２０内へのアンカー３１の組み付け作業が容易となり、組み付けの作業性を向上させることができる。
【００４６】
また、アンカー３１から放射状に設けられた複数の支柱３２により、傾斜や転倒等によってキャビネット２０の配置状態が変化させられても、いずれかの支柱３２によってアンカー３１が、その重心位置が変わることなく支持されるので、アンカー３１の位置変化を防止することができ、アンカー３１に接続されたスピーカユニット１０をキャビネット２０内に安定した構造で支持することができる。
【００４７】
また、支柱３２の先端部が嵌合部３３ａに嵌合されることによって、キャビネット２０の傾斜や転倒、あるいは輸送時の揺れ等によって支柱３２の先端部の位置ずれを防止することができ、アンカー３１に接続されたスピーカユニット１０をキャビネット２０内に安定した構造で支持することができる。
【００４８】
また、緩衝部材３５によりキャビネット２０内の気密性を維持することができるとともに、スピーカユニット１０をキャビネット２０の前面に対してフローティング状態で維持することができ、スピーカユニット１０からキャビネット２０前面への振動の伝達を防止することができ、キャビネット２０の振動に伴う音質の劣化を防止することができる。
【００４９】
なお、上記実施の形態（１）では、緩衝部材３４が支柱３２の先端部と位置決め部材３３の嵌合部３３ａとの間に介装されているが、別の実施の形態では、緩衝部材３４をアンカー部材３１ａ、３１ｂと支柱３２との間にそれぞれ介装させるようにしてもよい。なお、この場合、アンカー部材３１ａ、３１ｂには、支柱３２の一端を緩衝部材３４を介して嵌め込むことのできる大きさの孔が形成されるようになっている。
【００５０】
また、上記実施の形態（１）では、支柱３２が、アンカー３１からキャビネット２０の各隅に向けて略放射状に設けられる場合について説明したが、支持部材である支柱３２の設け方は、アンカー３１をキャビネット２０内にその重心位置が固定されるように支持することができる形態であれば種々の形態のものを適用することができ、支柱３２の設け方に応じて位置決め部材３３の形状や装着箇所も適宜変更すればよい。
【００５１】
また、キャビネット２０自体に支柱３２先端部を嵌め込む嵌合部３３ａを形成して、キャビネット２０に位置決め部材３３としての機能を兼用させることもできる。
【００５２】
図３は、上記実施の形態（１）に係るスピーカユニットの支持構造が１つのキャビネット内に２セット配置されたスピーカシステムの側面断面図を示している。但し、図１に示したスピーカユニット１と同一機能を有する構成部品には同一符号を付してその説明を省略することとする。
【００５３】
略直方体形状のキャビネット２０Ａの前面下部には、開口部２０ｂが設けられており、スピーカユニット１０ａが、アダプタ３０ａを備えたアンカー３１Ａと、支柱３２ａと、緩衝部材３４が設けられた位置決め部材３３と、緩衝部材３５とによりキャビネット２０Ａに対してフローティング状態で保持されるとともに、傾斜や転倒に強い、取り付け状態の安定した構造で支持されている。
【００５４】
また、キャビネット２０Ａの前面上部には、開口部２０ｃが設けられており、スピーカユニット１０ａより小型のスピーカユニット１０ｂが、アダプタ３０ｂを備えたアンカー３１Ｂと、支柱３２ｂと、緩衝部材３４が設けられた位置決め部材３３Ｂと、緩衝部材３５とによりキャビネット２０Ａに対してフローティング状態で保持されるとともに、傾斜や転倒に強い、取り付け状態の安定した構造で支持されている。
【００５５】
なおこの場合、キャビネット２０Ａの中段付近に設けられたスピーカユニット１０ａの位置決め部材３３Ａとスピーカユニット１０ｂの位置決め部材３３Ｂとは、キャビネット２０Ａの側壁部に接着、またはねじ止め等により固定されるようになっている。
【００５６】
このように、１つのキャビネット２０Ａに２つのスピーカユニット１０ａ、１０ｂが配設される２ウェイ・スピーカシステムにも上記実施の形態（１）に係るスピーカユニットの支持構造を適用することができ、各スピーカユニット１０ａ、１０ｂをそれぞれフローティング状態とすることにより出力される音質の劣化を防止することができるとともに、傾斜や転倒等に対してもスピーカユニット１０ａ、１０ｂの位置ずれ等が生じない安定した構造とすることができる。
【００５７】
図４は、実施の形態（２）に係るスピーカシステムを模式的に示した側面断面図である。但し実施の形態（２）に係るスピーカシステムの構成については、アダプタ３０ｃ、３０ｄを有するアンカー３１Ｃを介して互いに背面が対向する位置に２つのスピーカユニット１０ｃ、１０ｄが接続されている点を除いて図１に示したスピーカシステム１と略同様であるため、同一機能を有する構成部品には同一符号を付して、その説明を省略する。
【００５８】
図中１０ｃ、１０ｄはスピーカユニットを示し、図中２０Ｂはスピーカユニット１０ｃ、スピーカユニット１０ｄの前面部を配置させるための開口部２０ｂ、２０ｃを有するキャビネットを示している。なお、スピーカユニット１０ｃ及び１０ｄは、同一構成及び同一形状のものが最も好ましいが、少なくとも同径のコーン及び同形の磁気回路を備えているものであれば良い。
【００５９】
スピーカユニット１０ｃはアダプタ３０ｃを介してアンカー部材３１ａに接続され、一方、スピーカユニット１０ｄはアダプタ３０ｃと同一サイズのアダプタ３０ｄを介してアンカー部材３１ｂに接続されており、スピーカユニット１０ｃとスピーカユニット１０ｄとは、アダプタ３０ｃ及びアンカー３１ａと、アダプタ３０ｄ及びアンカー３１ｂとを介して対称的に固定されている。また、スピーカユニット１０ｄとキャビネット２０Ｂの背面との間にも緩衝部材３５が介装されている。
【００６０】
オーディオ信号は、キャビネット２０Ｂに設けられた入力端子（図示せず）、接続線１５、及び端子１６、１７を経由して、スピーカユニット１０ｃと、スピーカユニット１０ｄとにそれぞれ供給されるようになっている。この場合、スピーカユニット１０ｃと、スピーカユニット１０ｄとに供給されるオーディオ信号は、同じ同相の信号であって、同時に同じ音をスピーカユニット１０ｃと、スピーカユニット１０ｄとから発生させるような信号である。
【００６１】
このように同じ同相の信号がスピーカユニット１０ｃと、スピーカユニット１０ｄとに供給されることによって、スピーカユニット１０ｃ及びスピーカユニット１０ｄの各コーンから磁気回路に伝わる振動がアンカー３１Ｃで打ち消されることとなり、振動抑制効果が一層高められる。
【００６２】
このように構成されたスピーカシステム１Ｂも、上記実施の形態（１）に係るスピーカシステム１で述べた組み付け方法と同様の方法により組み付けることができる。
【００６３】
上記実施の形態（２）に係るスピーカシステム１Ｂによれば、アンカー３１Ｃを介して互いに背面が対向するように接続されたスピーカユニット１０ｃ及びスピーカユニット１０ｄが同相で動作させられるので、双方のスピーカユニット１０ｃ、１０ｄから伝達される振動がアンカー３１Ｃで打ち消され、スピーカユニット１０ｃ、１０ｄから伝達される振動を抑制する効果を一層高めることができる。
【００６４】
次に実施の形態（３）に係るスピーカシステムについて説明する。但し実施の形態（３）に係るスピーカシステムの構成については、スピーカに供給されるオーディオ信号の位相が相違する点を除いて、図４に示したスピーカシステム１Ｂと同様であるため、ここでは、同一機能を有する構成部品には同一符号を付して、その説明を省略する。
【００６５】
実施の形態（２）に係るスピーカシステム１Ｂでは、スピーカユニット１０ｃと、スピーカユニット１０ｄとに同じ信号が同相で供給されるようになっているが、実施の形態（３）に係るスピーカシステム１Ｃでは、スピーカユニット１０ｃと、スピーカユニット１０ｄとに同じ信号が逆相で供給されるようになっている。
【００６６】
同じ信号を逆相で供給させるためにスピーカシステム１Ｃでは、オーディオ信号が出力されるアンプ（図示せず）のスピーカ出力端子の極性（＋、−）がスピーカユニット１０ｃとスピーカユニット１０ｄとで逆になるように各入力端子（図示せず）に接続されるようになっている。
【００６７】
実施の形態（３）に係るスピーカシステム１Ｃによれば、スピーカユニット１０ｃ及びスピーカユニット１０ｄがアンカー３１Ｃを介して互いに背面が対向するように対称的に接続され、スピーカユニット１０ｃ及びスピーカユニット１０ｄに対して、同じ信号が逆相で供給されると、スピーカユニット１０ｃとスピーカユニット１０ｄとが逆相で動作させられることとなり、見かけ上キャビネット２０Ｂ内の圧力変化ない構造とすることができる。したがって、内圧変動による影響がなくなるのでスピーカユニット１０ｃ及びスピーカユニット１０ｄのコーンの応答特性を良くすることができ、音質を一層向上させることができるとともに、キャビネット２０Ｂの小型化を図ることもできる。
【図面の簡単な説明】
【図１】本発明の実施の形態（１）に係るスピーカユニット支持構造が採用されたスピーカシステムを模式的に示した部分断面斜視図である。
【図２】図１におけるＩ−Ｉ線断面図である。
【図３】実施の形態（１）に係るスピーカユニット支持構造が１つのキャビネットに２セット配置されたスピーカシステムを模式的に示した側面断面図である。
【図４】実施の形態（２）に係るスピーカユニット支持構造が採用されたスピーカシステムを模式的に示した側面断面図である。
【図５】従来のスピーカシステムを模式的に示した側面断面図である。
【図６】従来の別のスピーカシステムを模式的に示した側面断面図である。
【符号の説明】
１、１Ａ、１Ｂ、１Ｃ  スピーカシステム
１０、１０ａ、１０ｂ、１０ｃ、１０ｄ  スピーカユニット
２０、２０Ａ、２０Ｂ  キャビネット
３１、３１Ａ、３１Ｂ、３１Ｃ  アンカー
３２、３２ａ、３２ｂ、３２ｃ  支柱
３３、３３Ａ、３３Ｂ  位置決め部材
３４、３５  緩衝部材
【図１】
2004289221.tif 000003
【図２】
2004289221.tif 000004
【図３】
2004289221.tif 000005
【図４】
2004289221.tif 000006
【図５】
2004289221.tif 000007
【図６】
2004289221.tif 000008